(57)【要約】本発明は、２つの導体（４，５）を接続するためのコネクタ（１）において、第１の半ハウジング（２）と第２の半ハウジング（３）とを備え、これらの半ハウジングが、前記第２の半ハウジング（３）が第１の半ハウジング（２）とともにロック前状態にある位置から、最終ロック位置へ移動可能とされた、コネクタ（１）に関するものである。本発明のコネクタはまた、最終ロック位置で２つの導体（４，５）に接触してこれらを互いに接続する電気導電クランプ（９）を備えている。
2006505102.tif 000002
【特許請求の範囲】
【請求項１】
少なくとも２つの導体（４，５）を接続するためのプラグコネクタ（１）において、
第１のハウジング半体（２）と、ロック前位置から前記第１のハウジング半体（２）に最終ロック位置でロックされることができる第２のハウジング半体（３）と、を有し、
最終ロック位置で２つの導体（４，５）に接触してこれらを互いに電気的に接続する電気導電クランプ（９，９’）によって特徴付けられているプラグコネクタ。
【請求項２】
請求項１に記載のプラグコネクタ（１）において、
前記２つの導体（４，５）が、平坦な可撓導体部分であることを特徴とするプラグコネクタ。
【請求項３】
請求項１または２に記載のプラグコネクタ（１）において、
前記クランプがＵ字形状であり、該Ｕ字形状のクランプ（９，９’）の２つの脚部（１０，１１）のそれぞれが、前記最終ロック位置で少なくとも１つの導体（４，５）に接触することを特徴とするプラグコネクタ。
【請求項４】
請求項３に記載のプラグコネクタ（１）において、
前記クランプ（９，９’）が、２つのハウジング半体（２，３）のうちの一方に位置する凹所（１２）内に配置され、他方のハウジング半体が、最終ロック位置で前記クランプの２つの脚部（１０，１１）間において前記導体（４，５）を前記凹所（１２）内へ押し付ける肩部（１３）を有していることを特徴とするプラグコネクタ。
【請求項５】
請求項１〜４のいずれかに記載のプラグコネクタにおいて、
少なくとも一方のハウジング半体（２、３）がリブ（７）を有し、該リブは、前記最終ロック位置で１つの導体（４，５）を他方のハウジング半体（３，２）に形成された凹所（８）内へ押し付けて、歪み緩和部が前記導体のために形成されるようにし、また、前記リブ（７）は、該プラグコネクタにおける反対側に位置する両側部に導体が挿入されるたびに該導体のためのストッパ（２１，２２）を形成することを特徴とするプラグコネクタ。
【請求項６】
請求項３〜５のいずれかに記載のプラグコネクタ（１）において、
前記２つの導体（４，５）が、クランプ（９，９’）上で重なり合い、前記クランプの各脚部（１０，１１）が、最終ロック位置で両方の導体に接触することを特徴とするプラグコネクタ。
【請求項７】
請求項１〜６のいずれかに記載のプラグコネクタ（１）において、
ハウジング半体（２）のうちの一方（２）が２つの部分から形成され、このハウジング半体の各部分（２ａ，２ｂ）が、最終ロック位置で他方のハウジング半体（３）に個別にロックされることができ、最終ロック位置でロックされたときに、一方のハウジング半体の各部分（２ａ，２ｂ）が、前記導体（４，５）のうちの一方を前記クランプの１つの脚部（１０，１１）上へ押し付けることを特徴とするプラグコネクタ。
【請求項８】
請求項３〜７のいずれかに記載のプラグコネクタにおいて、
前記クランプの各脚部（１０’，１１’）が、ノッチ（１４）によって互いに分離された２つの対向して位置するクランプアーム（１６，１７）を有していることを特徴とするプラグコネクタ。
【請求項９】
請求項１〜８のいずれかに記載のプラグコネクタにおいて、
前記クランプ（９，９’）が、削りクランプであることを特徴とするプラグコネクタ。
【請求項１０】
請求項１〜９のいずれかに記載のプラグコネクタにおいて、
各導体（４，５）が複数の導電路（６）を有し、該プラグコネクタが、２つのハウジング半体が最終ロック位置でロックされたときに、前記複数の導電路を互いに分離する削り装置を有していることを特徴とするプラグコネクタ。
【発明の詳細な説明】
【技術分野】
【０００１】
本発明は、２つの導体を接続するためのプラグコネクタに関するものである。本発明は、特に、２つの平坦な可撓導体を接続するためのプラグコネクタに関するものである。全体として、本発明は、例えば自動車産業あるいはコンピュータテクノロジーにおいて２つの導体がそれらの導電路によって互いに接続される必要がある場所に用途を見出している。
【背景技術】
【０００２】
平坦な可撓導体は、導電路の幅とそれに関連するより大きな導体断面積とに基づいて、より高い電流強度を達成することができるため、また、空間的に小さな高さとされて路が互いに隣接して配置された導体を、他のコンポーネントに取り込むことができるため、テクノロジーの多くの分野において用途分野が絶えず広がっている。
【０００３】
リボン状導体が頻繁に使用されることから、簡略な方法で異なるリボン状導体を接続したいという要求、例えば、より長い距離に亘って橋絡することも可能にするため、ケーブルハーネスを製造したいという要求が現在生じている。
【０００４】
特許文献１は、２つのリボン状導体を着脱可能に接続するための接続区域を開示しており、導体のうちの一方が、ハウジング内に設けられた接触湾曲部を有するバネの周囲に巻き付けられ、該接触湾曲部が、他方の導体の導電路上に押し付けられている。しかしながら、接続区域内における第１の導体の導入は、複雑であって時間がかかる。
【特許文献１】独国特許出願公開第１９８３２０１１号明細書
【発明の開示】
【発明が解決しようとする課題】
【０００５】
したがって、本発明の目的は、構成しやすくかつ作動させやすく、導体、特に平坦な可撓導体を簡略な方法で互いに接続することができるプラグコネクタを提供することである。
【課題を解決するための手段】
【０００６】
この目的は、請求項１によるプラグコネクタによって解決されるであろう。
【０００７】
本発明によれば、２つの導体を接続するため、プラグコネクタが、第１のハウジング半体と、ロック前位置から最終ロック位置へ第１のハウジング半体にロックされることができる第２のハウジング半体と、最終ロック位置で２つの導体に接触してこれらを互いに電気的に接続する電気導電クランプと、を有している。本発明において、「ハウジング半体」という用語は、幾何学的な形状を半分に制限するものではない。むしろ、各半体は任意の形状を有することができる。
【０００８】
好ましくは、使用される導体が、平坦な可撓導体である。これらは通常、非導電性の可撓基材上を互いに平行に延びるいくつかの導電路を有している。
【０００９】
好ましい実施例では、クランプがＵ字形状であり、該Ｕ字形状のクランプの２つの脚部のそれぞれが、それらの最終ロック位置で少なくとも１つの導体に接触する。クランプの２つの脚部の接続プレートは、好ましくは、２つのハウジング半体のうちの一方に堅固に配置される。
【００１０】
クランプは、好ましくは、２つのハウジング半体のうちの一方に形成された凹所内に配置され、他方のハウジング半体が、最終ロック位置においてクランプの２つの脚部間で導体を凹所内へ押し付ける肩部を有している。本発明によれば、第２のハウジング半体を作動させると、該第２のハウジングが、ロック前位置から最終ロック位置へ第１のハウジング半体の方向に押し付けられ、最終ロック位置では、他方のハウジング半体に形成された肩部によって導体がクランプ上にシフトさせられる。導体は、脚部上へ押し付けられる。好ましくは、各脚部が、１つあるいは複数の導体が押し付けられ得る凹陥部あるいはノッチを有している。この場合、接続されるべき導体の端部は、絶縁体が剥離されていることができるが、それらは、絶縁体によって取り囲まれていて、凹陥部あるいはノッチの各脚部へ押し付けられることもできる。挿入における接触ポイントでは、脚部が導体の絶縁被覆を削るように構成されていることができ、従来の絶縁被覆の除去が必要ではなくなる。
【００１１】
さらに、１つのハウジング半体は、リブを有していることができ、該リブは、最終ロック位置で、歪み緩和部が導体のために形成されるように、他方のハウジング半体に形成された凹陥部に位置する２つの導体のうちの一方を押し付ける。最終ロック位置でのハウジング半体のロックにより、２つの導体の電気接続に加えて、導体のための歪み緩和部が簡略な方法で形成され得る。
【００１２】
好ましくは、各ハウジング半体がリブ及び凹陥部を有しており、それによって、各ハウジングのリブが、接続されるべき両方の導体のための歪み緩和部を形成する手段により、導体を他方のハウジングの凹陥部内へ押し付ける。
【００１３】
ハウジング半体に形成されたリブは、同時に、プラグコネクタの反対側に位置する両側部においてプラグコネクタ内に挿入される両方の導体のためのストッパを形成することができる。
【００１４】
好ましい実施例では、２つの導体は、それらがクランプ上で重なり合い、クランプの各脚部が最終ロック位置で両方の導体に接触するのに十分なように、プラグコネクタに挿入されることができる。また、しかしながら、導体は、該導体がクランプ上で重なり合わず、クランプの各脚部が１つの導体のみに接触するだけとなるように、プラグコネクタに導入されることができる。
【００１５】
他の実施例では、ハウジング半体のうちの一方が、２つの部分で形成されることもでき、このハウジング半体の各部分は、最終ロック位置で他のハウジング半体に個別にロックされることができる。それが最終ロック位置でロックされるとき、好ましくは、２つの部分で形成されたハウジング半体の各部分が、クランプの１つの脚部上へ１つの導体を押し付けることができる。したがって、クランプの脚部よりも上に位置するハウジング半体の上記部分を最終ロック位置で押し付けることにより、どんな導体でも、他の導体から独立してクランプに接続されることができる、
【００１６】
好ましくは、クランプの各脚部は、少なくとも１つの導体が最終ロック位置でクランプされるノッチを有している。２つの導体がクランプ上で重なり合うかどうかに依存して、１つあるいは２つのいずれかの導体が、クランプの各脚部に固定される。
【００１７】
しかしながら、脚部は、ノッチによって互いに分離された２つの対向して位置するクランプアームを有していることもできる。他の好ましい実施例では、クランプが削りクランプであり、該クランプの脚部内へ押し付けられる接触導体が堅固にクランプされ、存在する可能性のあるどんな絶縁体でも剥離され、クランプが導体に直接接触するようにする。
【００１８】
加えて、プラグコネクタは、第２のハウジング半体が最終ロック位置でロックされたときに、複数の導電路をいくつかのそのような路を有する導電体内で互いに分離する削り装置を有することができる。このように、もし複数の導電路がクランプの脚部上へ押し付けられた場合、複数の導電路間に位置する導体の絶縁体が完全に途絶されることが保証される。
【００１９】
以下、本発明を、添付図面を参照しつつさらに詳細に説明する。
【発明を実施するための最良の形態】
【００２０】
図１は、第１のハウジング半体２と第２のハウジング半体３とを有するプラグコネクタ１を示している。プラグコネクタは、導体４を導体５に接続する。示された実施例において、導体４，５は、いくつかの導電路６を有する平坦な可撓導体である。
【００２１】
図２は、図１のプラグコネクタを上面図で示している。
【００２２】
図３は、図２のＡ−Ａ線断面図を示している。２つの導電路同士の間を通るこの断面では、２つの導体４，５がどのように２つのハウジング半体２，３に接続されているかを見ることができる。各ハウジング半体は、リブ７を有しており、該リブは、他方のハウジング半体の凹所８内に突出している。２つの導体４，５は、リブ７によってそれぞれ凹所８内に押し付けられ、このようにして、２つのハウジング半体２，３の間に取り付けられている。両導体４，５のための歪み緩和部が、この配置によって同時に形成される。
【００２３】
図４は、断面線Ｃ−Ｃに沿ってプラグコネクタ１を通る、導電路に沿った断面を示しており、２つのハウジング半体２，３が最終ロック位置に位置している。図４において左側から来る導体４のうちの１つは、リブ７を越え、図９及び１０でより詳細に示される電気導電クランプ９をさらに越えて延びている。
【００２４】
図９に示されるように、クランプ９は、Ｕ字形状であり、２つの脚部１０，１１を有している。図４に示される実施例において、クランプ９は、第２のハウジング半体３内の凹所１２に配置されている。第１のハウジング半体２は、肩部１３を有しており、該肩部は、２つの脚部１０，１１の間で第２のハウジング半体３の方向に導体を押し付ける。図９に示されるように、２つの脚部１０，１１のそれぞれは、ノッチ１４を有しており、該ノッチ内に導体がその導電路６によって押し付けられる。脚部１０，１１はそのノッチ１４とともに、互いに対面する脚部の両側面１５が削り面を形成するように構成されていることができ、導電路６上に存在するかもしれないどんな絶縁体でも剥離されるようにする。ノッチ１４は、Ｖ字形状であって下方側へ向けて先細りになっており、導電路６が該ノッチ１４にクランプされる。
【００２５】
図１０は、使用され得る導電クランプ９’の本発明の第２の実施例を示している。ここでは、２つの脚部１０’，１１’が、２つの対向して位置するクランプアーム１６，１７として形成されており、該クランプアームは、それら自身もＵ字形状となっている。クランプアーム１６，１７の対向して位置する端部において、該クランプアームは起伏部を有するように形成されており、本質的にＶ字形状のノッチが２つのクランプアーム１６，１７の間に形成されるようにしている。クランプアームの端部１８において、該クランプアームは、１つまたは複数の導体を所定位置に保持する丸み部分を有している。
【００２６】
図９及び１０の脚部１０，１１あるいは１０’，１１’は、交差ブレース２０を介してそれごとに互いに接続されており、例えば、クランプが１つのハウジング半体の所定位置に保持されることができるようにする。
【００２７】
図４に示される実施例では、導体４が、左側から延び、ハウジング半体３のリブ７上とクランプ９上とを通過し、導体４のためのストッパ２１を同時に形成するハウジング半体２のリブまで延びている。同様に、導体５が、図４において右側から延び、ハウジング半体２のリブ７上とクランプ９上とを通過し、ストッパ２２として機能する第２のハウジング半体３のリブ７まで延びている。示された実施例では、これらの導体が、クランプ９上で互いの上部に位置している。
【００２８】
図２に示されたプラグコネクタを通る断面Ｂ−Ｂが、図５に示されている。図１及び２に示されるように、第２のハウジング半体は、２つのハウジング半体２，３を互いにロックするために、第１のハウジング半体に形成された第１のブロック肩部２４あるいは第２のブロック肩部２５と協働する溝２３を有している。ブロック肩部２４は、第１のハウジング半体２を、ロック前位置で溝２３内に保持する一方、ブロック肩部２５は、第２のハウジング半体３を、該第２のハウジング半体３に配置されたキャッチ肩部２６において最終ロック位置で所定位置に保持する。
【００２９】
とりわけ図５において認識できるように、ロック前位置及び最終ロック位置は、第１のブロック肩部２４及び第２のブロック肩部２５の異なる長さ及び位置によって達成される。ロック前位置では、第１のブロック肩部２４がその傾斜端部２７とともに、傾斜部３８に位置している。第１のブロック肩部２４のわずかなバネ負荷式構成のために、第１のハウジング半体２は、ロック前位置から最終ロック位置へ押し付けられることができる。
【００３０】
第２のハウジング半体３上に押し付けられる底面を有する第１のハウジング半体２が、図６に示されている。２つの導体の歪み緩和部のために配置されるリブ７及び凹所８を、この底面上に認識することができる。プラグコネクタ内の２つの導体をガイドするために、第１のハウジング半体２は、導体の方向に通路２８を有しており、該通路２８には、第２のハウジング３の突出部２９が係合して、導体４，５のための側方ガイドを生成する。導電路の位置において、第１のハウジング半体はまた隆起片３０を有しており、該隆起片は導電路を変形させて、図９に示されるように、導電路６がクランプ９の脚部１０，１１内へ押し付けられるようにする。
【００３１】
第２のハウジング半体３が、図７に上面図で示されており、示された実施例では、４つのクランプ９が凹所１２に位置している。加えて、第１のハウジング半体２の第１のブロック肩部２４を係合させて、ロック前位置を規定する溝２３ａが示されている。同様に、第２のブロック肩部２５を係合させる溝２３ｂが示されている。加えて、歪み緩和部のためのリブ７及び凹所８が示されている。
【００３２】
図８において、本発明による第２の実施例が示されており、第１のハウジング半体２が、２つの部分から形成されている。ハウジング半体の第１の部分２ａは、ハウジング半体の第２の部分２ｂから独立して最終ロック位置に移動されることができる。ハウジング半体の第１の部分は、そのたびに、クランプ９の２つの脚部１０，１１のうちの一方の上に位置し、ハウジング半体２の他方の部分は、クランプ９の他方の脚部上に位置する。示された実施例において、ハウジング半体の各部分２ａ，２ｂは、ロック前位置及び最終ロック位置のための第１及び第２のブロック肩部２４及び２５を有している。
【００３３】
図８に示された好ましい実施例では、２つの導体４，５がクランプ９上で重なり合うように位置することはなく、ハウジング半体の各部分２ａ，２ｂがロックされたときには、そのたびに１つの導体のみがクランプ９内に押し付けられる。好ましい実施例において、２つの部材からなる第１のハウジング半体の場合、各導体４，５のための２つのクランプアーム１６，１７を有する図１０に示されたクランプが使用される。しかしながら、図９に示されるクランプもまた、図８の実施例のために、同程度に良好に使用されることができる。
【００３４】
２つの部材からなる第１のハウジング半体２ａ，２ｂが、図１１で下側から示されており、クランプ９’が、導体５の２つの導電路６のための所定位置に配置されている。同様に、クランプ９’の丸み部分１９内へ導電路６を押し付ける隆起片３０が示されている。加えて、ロック前位置あるいは最終ロック位置でロックするための第１及び第２のブロック肩部２４及び２５が、第１のハウジングにおける反対側に位置する両端部に側方に配置されて示されている。認識できるように、絶縁体が導体５の端部から剥離されており、絶縁体の剥離された導電路６が図１０の２つのクランプアーム１６，１７間に押し付けられるようになっている。各ハウジング部分２ａ，２ｂを最終ロック位置でロックすることによって、各導体４，５の導電路６は、そのたびにクランプ９の脚部１０，１１に接続される。
【００３５】
しかしながら、図９に示されるクランプ９もまた、図１１に示された第１のハウジング半体２が２つの部材からなる実施例の場合に、同程度に良好に使用されることができ、導体は重なり合うことができる。図８及び１１〜１２の導電路はまた、絶縁体が剥離されることなく、同程度に良好に使用されることができる。その結果、クランプは、それらが平坦な可撓導体の絶縁体を削るように構成される。
【００３６】
したがって、クランプの両方の実施例は、絶縁体が剥離された導電路あるいは絶縁体がさほど剥離されていない導電路とともに使用されることができる。
【００３７】
図８のプラグコネクタの実施例を通る断面が図１２に示されている。図１２に示されるように、ハウジング部分２ｂが最終ロック位置でロックされる一方、ハウジング部分２ａがロック前位置に位置している。各ハウジング部分２ａ，２ｂは、ストッパ３１を有しており、導体４あるいは５はそれぞれ該ストッパまでプラグコネクタ１に挿入されることができる。加えて、どのように肩部１３が導体をクランプ９の方向に押し付け、それによって導体４，５がクランプ９あるいは９’の脚部１０，１１にそれぞれ接触するかを、それぞれ見ることができる。
【００３８】
まとめると、本発明によるプラグコネクタを用いた簡略な方法で２つの導体が接続され得ることが確立される。ハウジング半体及びクランプの幾何学的形状は、導体４，５間の電気接触が保証されるように単にクランプが２つの導体４，５を最終ロック位置で互いに接続する限り、他の様式で構成されることもできる。
【図面の簡単な説明】
【００３９】
【図１】本発明によるプラグコネクタの斜視図である。
【図２】図１のプラグコネクタの上面図である。
【図３】図２のＡ−Ａ線断面図である。
【図４】図２のＣ−Ｃ線断面図である。
【図５】図２のＢ−Ｂ線断面図である。
【図６】第２のハウジング半体の下側からの斜視図である。
【図７】クランプを有する下部ハウジング半体の上面図である。
【図８】２つの部材からなる第２のハウジング半体を有する、本発明によるプラグコネクタの第２の実施例を示す図である。
【図９】電気導電クランプの第１の実施例を示す図である。
【図１０】電気導電クランプの第２の実施例を示す図である。
【図１１】図９のクランプを有する、２つの部材からなる第２のハウジング半体の下側からの斜視図である。
【図１２】導電路に沿って２つの部材からなるハウジング半体を通る断面図である。
【符号の説明】
【００４０】
１  プラグコネクタ１
２  第１のハウジング半体
２ａ  第１のハウジング半体の第１の部分
２ｂ  第１のハウジング半体の第１の部分
３  第２のハウジング半体
４  導体
５  導体
６  導電路
７  リブ
８  凹所
９，９’  電気導電クランプ
１０，１０’  脚部
１１，１１’  脚部
１２  凹所
１３  肩部
１４  ノッチ
１５  側面
１６  クランプアーム
１７  クランプアーム
１８  端部
１９  丸み部分
２０  交差ブレース
２１  ストッパ
２２  ストッパ
２３，２３ａ，２３ｂ  溝
２４  第１のブロック肩部
２５  第２のブロック肩部
２６  キャッチ肩部
２７  傾斜端部
２８  通路
２９  突出部
３０  隆起片
【図１】
2006505102.tif 000003
【図２】
2006505102.tif 000004
【図３】
2006505102.tif 000005
【図４】
2006505102.tif 000006
【図５】
2006505102.tif 000007
【図６】
2006505102.tif 000008
【図７】
2006505102.tif 000009
【図８】
2006505102.tif 000010
【図９】
2006505102.tif 000011
【図１０】
2006505102.tif 000012
【図１１】
2006505102.tif 000013
【図１２】
2006505102.tif 000014
【国際調査報告】
2006505102.tif 000015
2006505102.tif 000016
2006505102.tif 000017
2006505102.tif 000018